(57)【要約】      （修正有）【課題】携帯電話とストラップ取付具とを繋ぐ取付紐がより長期にわたる使用が可能な携帯物品用ストラップの取付具を提供する。【解決手段】連結金具２の一端（先端）に連結金具２から突出して中央で折り返され、携帯物品に挿通して取り付け可能な取付紐３と、他端（後端）にストラップに連結可能な中継部材４を有する、携帯物品用ストラップの取付具であって、連結金具２内部にはその中心軸に沿って弾性体５が嵌挿される中空部が設けられていて、中空部内に中心軸に沿って取付紐３が挿通される挿通孔を有する弾性体５と固定リングが装着されていて、該弾性体５の一部は取付紐３の折り曲げを緩衝するように連結金具２から先端方向に突出しており、固定リングは弾性体５の後端側に当接されていて、取付紐３が弾性体５と固定リングを挿通して固定リングの後端側で結び目又は固定部材により係止されている、携帯物品用ストラップの取付具１。【選択図】図１
2008200231.tif 000002
【特許請求の範囲】
【請求項１】
連結金具（Ｂ）の一端（先端）に連結金具（Ｂ）から突出して中央で折り返され、携帯物品に挿通して取り付け可能な取付紐（Ａ）と、他端（後端）にストラップに連結可能な中継部材（Ｃ）を有する、携帯物品用ストラップの取付具であって、
連結金具（Ｂ）内部にはその中心軸に沿って弾性体（Ｄ）が嵌挿される中空部が設けられていて、該中空部内に中心軸に沿って取付紐（Ａ）が挿通される挿通孔を有する弾性体（Ｄ）と固定リング（Ｅ）が装着されていて、弾性体（Ｄ）の一部は取付紐（Ａ）の折り曲げを緩衝するように連結金具（Ｂ）から先端方向に突出しており、固定リング（Ｅ）は弾性体（Ｄ）の後端側に当接されていて、
取付紐（Ａ）が弾性体（Ｄ）と固定リング（Ｅ）を挿通して固定リング（Ｅ）の後端側で結び目又は固定部材により係止されている、
携帯物品用ストラップの取付具。
【請求項２】
前記弾性体（Ｄ）の外形形状が先端方向に向かって先細りになる略切頭円錐形である、請求項１に記載の携帯物品用ストラップの取付具。
【請求項３】
前記弾性体（Ｄ）の連結金具（Ｂ）から先端方向へ突出する長さが１〜４ｍｍである、請求項１又は２に記載の携帯物品用ストラップの取付具。
【請求項４】
前記弾性体（Ｄ）が、シリコーン系ゴムである、請求項１ないし３のいずれか１項に記載の携帯物品用ストラップの取付具。
【請求項５】
前記連結金具（Ｂ）の外形形状が略切頭四角錐形状である、請求項１ないし４のいずれか１項に記載の携帯物品用ストラップの取付具。
【請求項６】
前記取付紐（Ａ）がポリアミド繊維、又はポリエステル繊維からなる、請求項１ないし５のいずれか１項に記載の携帯物品用ストラップの取付具。
【発明の詳細な説明】
【技術分野】
【０００１】
本発明は、携帯電話、カメラ等の携帯物品用ストラップの取付具に関する。
【背景技術】
【０００２】
近年、携帯電話機、デジタルカメラ等（以下、携帯電話機等という。）の普及の拡大と共に、携帯電話機等のストラップ用部材（取付具）にも種々のタイプが開発されている。従来から、携帯電話機等に取り付けられているストラップとしては、ストラップ本体と、一端部がストラップ本体に連結され、他端部が携帯電話機等の取付部に結び付けられている取付紐からなるものが広く知られている。
例えば以下に記載する特許文献１には、一端にクリップ具を、他端に携帯電話機の取付部に挿通して取り付けることのできる連結紐を設けた、携帯物品用ストラップの取付具が開示されている。特許文献２には、携帯電話機の取付部に挿通して取り付けられる接続紐と被連結部に挿通して取り付けられる主紐を有するストラップ紐が開示されている。特許文献３には、携帯電話とストラップ取り付け具とを繋ぐ結着用紐が捩れて切断されたり、結着用紐 が外れたりして、携帯電話を紛失するおそれがないストラップ取り付け具及びストラップ取り付け方法が開示されている。
【０００３】
【特許文献１】特開２００２−１７７０４０号公報
【特許文献２】特開２００３−１５３７２６号公報
【特許文献３】特開２００６−０００４４８号公報
【発明の開示】
【発明が解決しようとする課題】
【０００４】
従来から広く使用されている携帯品へのストラップ用部材は、携帯品とストラップ用部材との連結が取付紐により結ばれているので、使用によりこの紐が切断されると携帯品が失われるおそれがある。
上記特許文献１及び３では、いずれも携帯電話の取付部に取付紐によりストラップが取り付けられ、特許文献２では同様に紐により携帯電話機が携帯用ストラップの被連結具に装着されているので、これらの紐が使用継続期間中に紐が切断されると、携帯品が失われるおそれがある。
本発明は、上記課題を解決して、携帯電話とストラップ取付具とを繋ぐ取付紐が長期間の使用による擦り切れと切断を改良して、より長期にわたる使用が可能な携帯物品用ストラップの取付具を提供する。
【課題を解決するための手段】
【０００５】
本発明は、（１）連結金具（Ｂ）の一端（先端）に連結金具（Ｂ）から突出して中央で折り返され、携帯物品に挿通して取り付け可能な取付紐（Ａ）と、他端（後端）にストラップに連結可能な中継部材（Ｃ）を有する、携帯物品用ストラップの取付具であって、
連結金具（Ｂ）内部にはその中心軸に沿って弾性体（Ｄ）が嵌挿される中空部が設けられていて、該中空部内に中心軸に沿って取付紐（Ａ）が挿通される挿通孔を有する弾性体（Ｄ）と固定リング（Ｅ）が装着されていて、弾性体（Ｄ）の一部は取付紐（Ａ）の折り曲げを緩衝するように連結金具（Ｂ）から先端方向に突出しており、固定リング（Ｅ）は弾性体（Ｄ）の後端側に当接されていて、
取付紐（Ａ）が弾性体（Ｄ）と固定リング（Ｅ）を挿通して固定リング（Ｅ）の後端側で結び目又は固定部材により係止されている、
携帯物品用ストラップの取付具、であることを特徴とする。
【０００６】
本発明の携帯物品用ストラップの取付具においては、下記の態様とすることができる。
（２）前記弾性体（Ｄ）の外形形状が先端方向に向かって先細りになる略切頭円錐形である。
（３）前記弾性体（Ｄ）の連結金具（Ｂ）から先端方向へ突出する長さが１〜４ｍｍである。
（４）前記弾性体（Ｄ）が、シリコーン系ゴムである。
（５）前記連結金具（Ｂ）の外形形状が略切頭四角錐形状である。
（６）前記取付紐（Ａ）がポリアミド繊維、又はポリエステル繊維からなる。
【発明の効果】
【０００７】
本発明の携帯物品用ストラップの取付具によれば、連結金具（Ｂ）から突出している中央で折り返されている輪状の取付紐（Ａ）が、連結金具（Ｂ）から突出している弾性体（Ｄ）部分で支持されているので、携帯電話機等に連結して、本発明の携帯物品用ストラップの取付具を使用する際に取付紐（Ａ）の連結金具（Ｂ）近傍での折り曲げが緩衝されることにより取付紐（Ａ）の擦り切れとそれによる切断を大幅に改良して、より長期に渡る使用が可能になる。
前記弾性体（Ｄ）の外形形状が先端方向に向かって先細りになる略切頭円錐形を採用した場合には、連結金具（Ｂ）からの弾性体（Ｄ）の突出長さの制御が容易になり、かつ取付紐（Ａ）に先端方向への力が加わると、弾性体（Ｄ）にも先端方向に動く力が作用することに伴い、弾性体（Ｄ）内の挿通孔がより細くなって、取付紐（Ａ）の保持がより強化される。
前記弾性体（Ｄ）にシリコーンゴムを使用した場合には、取付紐（Ａ）の連結金具（Ｂ）近傍での折り曲げが好適に緩衝される。
【発明を実施するための最良の形態】
【０００８】
上記したように、本発明の携帯物品用ストラップの取付具は、取付紐（Ａ）、連結金具（Ｂ）及び中継部材（Ｃ）を有している。
以下、本発明に係る携帯物品用ストラップの取付具、及びその組み立て方法を説明する。
本発明に係る携帯物品用ストラップの取付具の例としてその平面図を図１に、断面図を図２、図２の弾性体（Ｄ）５まわりの一部拡大図を図３に、ストラップを付けた使用例を図４に示すが、これらの説明図は例示であり、本発明はこれらの図に示される携帯物品用ストラップの取付具に限定されるものではない。
（１）連結金具（Ｂ）
図１ないし３において、連結金具（Ｂ）２には弾性体（Ｄ）５が嵌挿可能な中空部が設けられている。
該中空部内には中心軸に沿って取付紐（Ａ）が挿通される挿通孔を有する弾性体（Ｄ）と固定リング（Ｅ）が装着されている。該中空部の形状は、弾性体（Ｄ）５の形状に対応していて、連結金具（Ｂ）２から弾性体（Ｄ）５の一部が突出した状態で固定できれば特に限定されるものではなく、例えば、図２に示すような略切頭円錐形でもよく、またその他の形状として弾性体（Ｄ）の軸方向と垂直方向の段差を設けることにより連結金具（Ｂ）から突出する弾性体（Ｄ）の長さを制御する構造とすることもできる。
連結金具（Ｂ）２の外形形状は、特に限定されるものではないが、使用目的と美観性を考慮すると、先端部に向かって先細となる形状が例示できが、略切頭角錐形、略切頭円錐形等の形状が好ましく、具体例として図１，２に示すような略切頭四角錐形が例示できる。
【０００９】
連結金具（Ｂ）２の後端部は、中継部材（Ｃ）４と連結可能な構造であれば特に構造は限定されない。実用的な点からは、連結金具（Ｂ）２と中継部材（Ｃ）３が二次元方向に折り曲げ可能とするのが望ましく、例えば図１、２に示すように、連結金具（Ｂ）１の後端部を凹部形状とし、中継部材（Ｃ）３の先端部を凸部として互いに嵌合可能な形状にして、その重なり合いの中間部に留め金が挿通可能な連通孔を設けて連結することができる。
連結金具（Ｂ）２は、使用目的と美観性、装飾性を考慮するとその表面は外観性に優れる金属光沢を有している材料が好ましく、その材料は貴金属、ステンレス性、又はその表面がニッケルメッキ等で表面硬度を向上させてもよい。
【００１０】
（ａ）弾性体（Ｄ）
弾性体（Ｄ）５は、連結金具（Ｂ）２中に挿入されていて、その内部には取付紐（Ａ）が挿通される挿通孔が設けられている。弾性体（Ｄ）５は、その一部が連結金具（Ｂ）２から先端方向に突出していて、連結金具（Ｂ）近傍での折り曲げが緩衝されるように該突出部分で取付紐（Ａ）を保持している。
上記連結金具（Ｂ）２から突出している部分の弾性体（Ｄ）５の長さは、好ましくは１〜５ｍｍ、より好ましくは２〜４ｍｍ程度である。弾性体（Ｄ）５の後端部は、固定リング（Ｅ）６が当接可能な形状であり、例えば平面形状又は凹部面とすることができる。尚、弾性体（Ｄ）５は、外部から圧縮力を受けた場合に容易に変形可能な特性を有しているので、直接的に前記形状を有している必要はなく、圧縮力を受けて変形した後に前記形状をとなるものでもよい。
弾性体（Ｄ）５の材料は、取付紐（Ａ）３の連結金具（Ｂ）近傍での折り曲げを緩衝させる弾性を有し、かつ外形形状の成形が容易で、前記した取付紐（Ａ）を挿通する挿通孔の形成が容易な材料を使用する必要がある。このような材料の例として、天然ゴム、及びシリコーン系ゴム、ポリオレフィン系ゴム、エラストマー等の合成ゴムの使用が可能であるが、実用的な面からはシリコーン系ゴムが好ましい。
【００１１】
（ｂ）固定リング（Ｅ）
固定リング（Ｅ）６は、図３に示すように弾性体（Ｄ）５の後端部で弾性体（Ｄ）５に当接して、その後端側において取付紐の結び目又は固定部材（後述する。）により取付紐（Ａ）を係止する構造であり、その当節面は、平面状又は先頭方向に向かって凸状とすることができる。固定リング（Ｅ）６の内径は取付紐の結び目又は固定部材により係止可能な大きさとする。
尚、連結金具（Ｂ）内での固定リング（Ｅ）による係止方法としては、（ｉ）固定リング（Ｅ）が連結金具（Ｂ）に直接当接して、先端方向への動きを係止するする方法、（ii）固定リング（Ｅ）が連結金具（Ｂ）に弾性体（Ｄ）を介して先端方向への動きを係止する方法、が例示できる。
本発明において、取付紐（Ａ）を弾性体（Ｄ）と固定リング（Ｅ）を挿通して結び目又は固定部材により取付紐（Ａ）を輪状にした後に、取付紐（Ａ）を先端方向に引っ張ることにより、取付紐（Ａ）の結び目又は固定部材が固定リング（Ｅ）を弾性体（Ｄ）内に押し込む力が作用して、固定リング（Ｅ）が連結金具（Ｂ）の中空部の面に当接するか、固定リング（Ｅ）が弾性体（Ｄ）の後端部に食い込んだ形で係止される。
上記したように、固定リング（Ｅ）には取付紐（Ａ）を係止する作用が必要とされるので、機械的強度を有する金属材料を使用するのが望ましい。
【００１２】
（２）取付紐（Ａ）
取付紐（Ａ）３は、連結金具（Ｂ）２から中央で折り返された輪状形状であり、携帯物品の取付部に挿通して取り付け可能な形状である。従って、取付紐（Ａ）３は、細い形状で、かつ引張強度等の機械的強度の高い材料を使用するのが望ましく、また、弾性体（Ｄ）５内の細孔を貫通させる必要があるので、ある程度の剛性をも有しているのが望ましい。このような条件を満足する材料として、ポリアミド（ナイロン）、ポリエステル等の合成繊維が例示できる。
固定リング（Ｅ）の後端部側における、取付紐（Ａ）３の係止方法は、図３に示すように結び目を形成してもよく、また固定部材を使用する場合には、例えば内径２ｍｍで長さが２〜３ｍｍ程度の真鍮パイプ内に取付紐（Ａ）３の先端部を通して、外側から工具を用いて該真鍮パイプをはさみつぶしてもよい。
（３）中継部材（Ｃ）
中継部材（Ｃ）４は、連結金具（Ｂ）２の後端側に配設されていて、携帯物品用ストラップに連結されるものである。中継部材（Ｃ）４は、形状、材料等に特に制限はなく任意に設計した仕様が可能であり、その具体例は図１、２に示されている。
また、図１、２に示した携帯物品用ストラップの取付具にバンドのストラップ８を連結した使用例の外観図を図３に示す。
【００１３】
（４）携帯物品用ストラップの取付具の組み立て法
本発明の携帯物品用ストラップの取付具の組み立て法の１例を以下に示す。
弾性体（Ｄ）の挿通孔に、中央で折り返された取付紐（Ａ）が２本挿通された、弾性体（Ｄ）を連結金具（Ｂ）に挿入する。次に弾性体（Ｄ）の後端側の面に固定リング（Ｅ）を当接し、取付紐の結び目又は固定部材を用いて上記した方法により取付紐（Ａ）を輪状にする。その後、取付紐の先端部を先端方向に引っ張って、弾性体（Ｄ）の１部を連結金具（Ｂ）から突出させる。更に、連結金具（Ｂ）に中継部材（Ｃ）を連結させる。尚、必要により中継部材（Ｃ）にストラップを連結させ、更に取付紐（Ａ）を携帯物品に取付けて使用に供することができる。
【００１４】
本発明は上記図１ないし４に示した実施形態に限定されず、種々変更して実施することが可能である。例えば、上記図１ないし４に示した構造や材料は一例であり、本発明の効果を発揮することができる範囲で種々変更することができる。
【図面の簡単な説明】
【００１５】
【図１】本発明の携帯物品用ストラップの取付具の例を示す平面図である。
【図２】本発明の携帯物品用ストラップの取付具の例を示す断面図である。
【図３】図２に示す断面図の弾性体（Ｄ）５まわりの一部拡大図である。
【図４】本発明の携帯物品用ストラップの取付具の使用例を示す外観図である。
【符号の説明】
【００１６】
１  携帯物品用ストラップの取付具
２  連結金具（Ｂ）
３  取付紐（Ａ）
４  中継部材（Ｃ）
５  弾性体（Ｄ）
６  固定リング（Ｅ）
７  留め金
８  ストラップ
【図１】
2008200231.tif 000003
【図２】
2008200231.tif 000004
【図３】
2008200231.tif 000005
【図４】
2008200231.tif 000006